(57)【要約】【課題】光触媒部材に付着した塵埃を容易に除去することができ、十分な脱臭効果を長期間保持することができる電気掃除機を提供すること。【解決手段】集塵部２１が形成されると共に、この集塵部２１に吸込負圧を作用させる電動送風機２２が内蔵された掃除機本体１１を備え、この掃除機本体１１には集塵部（内部空間又は風路）２１に臨む部分に窓３１が形成され、この窓３１には光を透過させる蓋カバー（透光性部材）３３が設けられ、この蓋カバー３３の内側には光触媒部材４０が設けられて集塵部２１の脱臭等を行う電気掃除機１０であって、光触媒部材４０を蓋カバー３３の内側面３３ａにほぼ沿って位置させると共に、着脱自在に設けた。【選択図】  図２
2004230134.tif 000002
【特許請求の範囲】
【請求項１】
集塵部が形成されると共に、該集塵部に吸込負圧を作用させる電動送風機が内蔵された掃除機本体を備え、該掃除機本体には内部空間に臨む部分に窓が形成され、該窓には光を透過させる透光性部材が設けられ、該透光性部材の内側には光触媒部材が設けられて前記内部空間の脱臭等を行う電気掃除機であって、
前記光触媒部材は前記透光性部材の内側面にほぼ沿って位置すると共に、着脱自在に設けられていることを特徴とする電気掃除機。
【請求項２】
集塵部が形成されると共に、該集塵部に吸込負圧を作用させる電動送風機が内蔵された掃除機本体を備え、該掃除機本体には内部空間に臨む部分に窓が形成され、該窓には光を透過させる透光性部材が設けられ、該透光性部材の内側には光触媒部材が設けられて前記内部空間の脱臭等を行う電気掃除機であって、
前記光触媒部材は前記透光性部材の内側面にほぼ沿って位置すると共に、前記透光性部材は着脱自在に設けられていることを特徴とする電気掃除機。
【請求項３】
請求項１又は２に記載の電気掃除機において、前記内部空間は前記集塵部であることを特徴とする電気掃除機。
【請求項４】
請求項１ないし３のいずれか一つに記載の電気掃除機において、前記透光性部材は、光を屈折させることができるレンズ形状を呈していることを特徴とする電気掃除機。
【請求項５】
請求項４に記載の電気掃除機において、前記透光性部材は少なくとも一面に凹面を有する凹レンズ形状を呈していると共に、前記凹面は外方に面していることを特徴とする電気掃除機。
【請求項６】
請求項４に記載の電気掃除機において、前記透光性部材は少なくとも一面に凸面を有する凸レンズ形状を呈していると共に、前記凸面は前記内部空間に面していることを特徴とする電気掃除機。
【請求項７】
請求項１又は２に記載の電気掃除機において、前記集塵部と前記電動送風機との間にフィルタが配置され、前記内部空間は前記フィルタと前記電動送風機との間に設けられた風路であることを特徴とする電気掃除機。
【請求項８】
請求項１ないし７のいずれか一つに記載の電気掃除機において、前記透光性部材は前記掃除機本体の上面に設けられていることを特徴とする電気掃除機。
【発明の詳細な説明】
【０００１】
【発明の属する技術分野】
この発明は、掃除機本体に形成された窓に透光性部材が設けられると共に、この窓に対向した位置に光触媒部材が設けられて掃除機本体内の脱臭等を行う電気掃除機に関するものである。
【０００２】
【従来の技術】
従来、電気掃除機として、図１１に示すようなものが知られている（例えば特許文献１参照）。
【０００３】
この電気掃除機は掃除機本体１を備え、この掃除機本体１には、集塵室２が形成されると共に、この集塵室２に吸込負圧を作用させる電動送風機３が内蔵されている。また、集塵室２内の電動送風機３の吸気口３ａに対向した位置には、光触媒層が形成された光触媒部材４が配設されている。
【０００４】
そして、掃除機本体１の集塵室２を構成する上壁１ａには、光触媒部材４の上方に位置する窓５が形成され、この窓５には光を透過させる透光性部材５ａが設けられている。この透光性部材５ａを透過して入射する光によって光触媒層の酸化還元作用が励起され、臭気成分が分解される。
【０００５】
このような電気掃除機では、集塵室２内で発生する臭気成分を、光触媒部材４に形成された光触媒層によって分解して除去することにより、電動送風機３から排出される排気を清潔にしている。
【０００６】
また、図１２に示すようなものも知られている（例えば特許文献２参照）。
【０００７】
図１２（ａ）に示す６は、電気掃除機の掃除機本体に着脱自在に装着される延長管である。そして、この延長管６の内周面には、光触媒物質を含む光触媒部材７が設けられている。
【０００８】
また、延長管６の周面には、長手方向に延在されたスリット６ａが形成され、このスリット６ａには光を透過させる透光性部材８が設けられている。この透光性部材８は両面が円弧状に膨出しており（図１２（ｂ）参照）、外方から入射した光を拡散して光触媒部材７に照射することができる。
【０００９】
このような延長管６を有する電気掃除機では、延長管６内で発生した臭気成分を、光触媒部材７に含まれた光触媒物質によって分解して除去することにより、排出される排気を清潔にしている。
【００１０】
【特許文献１】
特開平９−１２２０４９号公報（段落００１５〜００１７、図１）
【特許文献２】
特開平９−１０８１５５号公報（段落００１３、段落００１５、図２，３）
【００１１】
【発明が解決しようとする課題】
ところで、集塵室２内に光触媒部材４が配設された電気掃除機では、電動送風機３の吸気口３ａから吸い込まれる空気は、光触媒部材４に設けられたスリットの間を通過していた。そのため、光触媒部材４に塵埃が非常に付着しやすくなっていた。
【００１２】
しかしながら、この光触媒部材４を容易に洗浄することができず、付着した塵埃によって光触媒層の酸化還元作用が阻害されることがあった。そのため、長期間に亘って十分な脱臭効果が得られないという問題が生じていた。
【００１３】
また、延長管６の内周面に光触媒部材７が設けられた電気掃除機であっても、光触媒部材７に付着した塵埃を除去することが困難になっており、長期間に亘って十分な脱臭効果が得られなくなっていた。
【００１４】
この発明は、上記問題に鑑みてなされたもので、光触媒部材に付着した塵埃を容易に除去することができ、十分な脱臭効果を長期間保持することができる電気掃除機を提供することを目的としている。
【００１５】
【課題を解決するための手段】
上記課題を解決するために、この発明の電気掃除機は、集塵室が形成されると共に、この集塵室に吸込負圧を作用させる電動送風機が内蔵された掃除機本体を備え、掃除機本体には内部空間に臨む部分に窓が形成され、この窓には光を透過させる透光性部材が設けられ、この透光性部材の内側には光触媒部材が設けられて内部空間の脱臭等を行うものであり、光触媒部材は透光性部材の内側面にほぼ沿って設けられると共に、着脱自在にされていることを特徴としている。
【００１６】
このような発明によれば、光触媒部材が透光性部材の内側面にほぼ沿っているので、電動送風機に吸い込まれる空気は光触媒部材を通過することがほとんどなく、塵埃が光触媒部材に付着しにくくなる。
【００１７】
また、光触媒部材が着脱自在に設けられているので、この光触媒部材に塵埃が付着した場合であっても、容易に光触媒部材を洗浄することができる。そのため、付着した塵埃によって光触媒部材の酸化還元作用が阻害されることがなくなり、十分な脱臭効果を長期間に亘って保持することができる。
【００１８】
【発明の実施の形態１】
以下、図面に基づいてこの発明の実施の形態１を説明する。
【００１９】
図１において、１０は電気掃除機であり、掃除機本体１１を備えている。掃除機本体１１には、集塵ホース１２の一端が着脱自在に接続され、その他端には手元操作管１３が設けられている。そして、手元操作管１３には着脱自在に接続された延長管１４を介して吸込口体１５が着脱自在に接続されている。
【００２０】
掃除機本体１１は、本体ケース２０と、この本体ケース２０の上部にヒンジ結合されて上下方向に開閉自在にされた蓋体３０とを有している。
【００２１】
本体ケース２０の前部には、上方が開口すると共に、集塵ホース１２に連通する接続口２１ａを有した内部空間である集塵室（集塵部）２１が形成されている。また、本体ケース２０の後部には、集塵室２１に連通すると共に、この集塵室２１に吸込負圧を作用させる電動送風機２２が内蔵された内部空間である電動機室（図示せず）が形成されている。
【００２２】
さらに、本体ケース２０の側面には一対の車輪２３（他方、図示せず）が設けられ、底面には図示しない旋回輪が設けられている。なお、集塵室２１内には図示しない集塵パックが着脱自在に配設されている。
【００２３】
蓋体３０は、図２（ａ）に示すように、集塵室２１の開口を覆うように設けられ、集塵室２１の上側に設けられている。また、この蓋体３０には、前方に突出する取っ手３０ａが設けられている。
【００２４】
また、蓋体３０には、掃除機本体１１に形成された内部空間である集塵室２１に臨む部分に窓３１が形成されている（図３参照）。この窓３１は蓋体３０に形成された開口である。
【００２５】
そして、この窓３１の外方側には、この窓３１にほぼ沿って窓カバー３３が着脱自在に設けられて、窓３１を覆っている。この窓カバー３３の前側には、上方に持ち上げて外す際に指を掛ける指掛け部３３ａが形成されている。なお、この窓カバー３３は、窓３１の外方側の周縁部に設けられた保持スリット３２ｄに嵌着されている。
【００２６】
そして、この窓カバー３３は、外部から入射する光を透過することができる透明又は半透明の透光性部材である。なお、この透光性部材は、フッ素系樹脂、アクリル樹脂、ポリカーボネート樹脂等の合成樹脂により構成されている。
【００２７】
また、ここでは窓カバー３３の全体が透光性部材であるが、窓３１に対向する部分のみを二色成形等により透光性部材で構成しても良い。
【００２８】
さらに、窓３１の集塵室２１側の周縁部には、前側に保持突起３２ａが設けられ、後側に保持リブ３２ｂが設けられている。
【００２９】
保持突起３２ａは窓３１から所定距離離れた位置に設けられ、掃除機本体１１の左右方向に延在されている。そして、この保持突起３２ａの先端は、Ｒ形状に形成されている（図４（ａ）参照）。
【００３０】
一方、保持リブ３２ｂは掃除機本体１１の左右方向に所定間隔をおいて複数設けられており、窓３１に向かうにつれて次第に突出すると共に、窓３１近傍に保持溝３２ｃが形成されている（図４（ｂ）参照）。
【００３１】
そして、保持突起３２ａ及び保持リブ３２ｂに保持されることにより、窓３１にほぼ沿った状態で光触媒部材４０が着脱自在に設けられている。
【００３２】
このように、窓３１にほぼ沿った状態で透光性部材である窓カバー３３と光触媒部材４０とが、それぞれ窓３１に沿った状態で着脱自在に設けられている。したがって、光触媒部材４０は透光性部材の内側面にほぼ沿って位置することとなる。
【００３３】
また、光触媒部材４０は、図２（ａ）に示すように、光触媒フィルタ４１と、この光触媒フィルタ４１を保持するフレーム体４２を備えている。
【００３４】
光触媒フィルタ４１は、光触媒物質を含む光触媒シート４１ａと、竹炭物質を含む竹炭シート４１ｂとが、ほぼ交互に重ねられて形成されている。ここで、光触媒シート４１ａが波形状に屈曲されており、この光触媒フィルタ４１はハニカム構造となっている（図２（ｂ）参照）。
【００３５】
フレーム体４２は、光触媒フィルタ４１の周囲を取り囲む周壁部４２ａと、周壁部４２ａの一方開口に架け渡された複数の載置フレーム４２ｂとを有している。光触媒フィルタ４１は、周壁部４２ａの両側の開口を連通するように、載置フレーム４２ｂ上に載置されている。
【００３６】
また、周壁部４２ａの他方開口の周縁部には、図４（ａ）、（ｂ）に示すように、外側に向かってほぼ水平に突出した係止突部４３が設けられている。この係止突部４３は周縁部の全周に亘って設けられている。
【００３７】
さらに、この周壁部４２ａの他方開口の開口端部には緩衝部材４４が設けられている。この緩衝部材４４により、光触媒部材４０を蓋体３０に取り付けた際に、窓３１の周縁部にフレーム体４２が直接当接することを防止する。
【００３８】
次にこの電気掃除機１０の作用について説明する。
【００３９】
掃除機１０を使用するには、あらかじめ光触媒部材４０を蓋体３０に取り付けておく。光触媒部材４０を取り付けるには、まず蓋体３０を上方に回動させて開く。そして、蓋体３０の窓３１の周縁部に設けられた保持突起３２ａに、光触媒部材４０のフレーム体４２に形成された係止突部４３の一部を係合させる。
【００４０】
そして、この保持突起３２ａに係合した係止突部４３を回動中心として、光触媒部材４０を蓋体３０に向かって回動させる。このとき、保持突起３２ａの先端がＲ形状に形成されているので、スムーズに回動させることができる。
【００４１】
この光触媒部材４０のフレーム体４２は、保持リブ３２ｂに当接すると、次第にフレーム体４２の内側に押されながら回動することとなる。そして、係止突起４３と保持溝３２ｃとが対向すると、フレーム体４２の弾性力で保持溝３２ｃに係止突起４３が嵌着する。
【００４２】
これにより、光触媒部材４０を蓋体３０に設けられている窓カバー３３にほぼ沿って設けることができる。
【００４３】
また、フレーム体４２の周壁部４２ａの他方開口の開口端部には、緩衝部材４４が設けられているので、窓３１の周縁部にフレーム体４２が直接当接せず、掃除機本体１１が移動した場合等に振動が生じても、フレーム体４２がガタついて異音が生じたり、外れたりすることを防止できる。
【００４４】
そして、蓋体３０を下方に回動させて集塵室２１の開口を閉じ、手元操作管１３に設けられた図示しないスイッチを入れて電動送風機２２を駆動させる。
【００４５】
電動送風機２２が駆動すると吸込負圧が発生し、集塵室２１、集塵ホース１２、手元操作管１３、延長管１４を順に介して、吸込口体１５にこの吸込負圧が作用する。
【００４６】
吸込口体１５に作用した吸込負圧によって、被清掃面上の塵埃及び空気が吸い込まれ、吸込口体１５から延長管１４、手元操作管１３、集塵ホース１２を順に介して、集塵室２１に流れ込む。
【００４７】
さらに、塵埃は集塵室２１内に配設された集塵パックに捕集され、空気は電動機室内の電動送風機２２に吸い込まれた後に、図示しない排気孔から外気に排出される。
【００４８】
このとき、集塵室２１には塵埃や空気と共に細菌等が流れ込み、アンモニア、アセトアルデヒド等の臭気成分を発散する。この臭気成分は、集塵室２１の上側に位置する蓋体３０に設けられた光触媒部材４０によって分解され、脱臭される。また、細菌自体も光触媒部材４０によって殺菌、分解される。
【００４９】
なお、この光触媒部材４０によって臭気成分等が分解される仕組みは以下のとおりである。
【００５０】
光触媒部材４０の光触媒シート４１ａが有する光触媒物質は、例えば二酸化チタン（ＴＩＯ２）である。
【００５１】
この二酸化チタンは、光（紫外線）が当たると、その表面から電子が飛び出して、正孔（ホール）と呼ばれるプラスの電荷を帯びた孔が形成される。この正孔は強い酸化力を持っており、周囲の有機物から電子を奪って電気的に安定になろうとする。
【００５２】
この様に二酸化チタンの酸化還元作用によって電子を奪われた有機物は分解され、最終的には二酸化炭素や水等になり大気中に発散することとなる。
【００５３】
また、竹炭シート４１ｂは吸着力を有しており、臭気成分を吸着することができる。
【００５４】
ここで、この光触媒部材４０は、蓋体３０に形成された窓３１にほぼ沿って設けられているので、窓３１から入射する光（紫外線）に十分に当たることができ、高い脱臭効果を得ることができる。
【００５５】
さらに、この光触媒部材４０の光触媒フィルタ４１は、フレーム体４２の両側の開口を連通するように設けられているので、光触媒シート４１ａ及び竹炭シート４１ｂの間を臭気成分が通過し、脱臭作用を励起することができる。
【００５６】
また、集塵室２１内に流れ込んだ空気は、蓋体３０の窓３１にほぼ沿って設けられた光触媒部材４０を通過することがほとんどなくなく、集塵室２１内に吸い込まれた塵埃が光触媒部材４０に付着しにくくなる。
【００５７】
そして、この光触媒部材４０は蓋体３０に着脱自在に設けられているので、例え光触媒部材４０に塵埃が付着した場合であっても、容易に光触媒部材４０を外して洗浄することができる。
【００５８】
なお、光触媒部材４０を外すには、まず、保持リブ３２ｂに嵌着したフレーム体４２の係止突部４３を、フレーム体４２の弾性力に抗してフレーム体４２の内側に押し込み、保持溝３２ｃから係止突部４３を外す。続いて、係止突起３２ａからフレーム体４２の係止突部４３を外し、光触媒部材４０を蓋体３０から外すことができる。
【００５９】
このように光触媒部材４０を常に清潔にしておくことができるので、光触媒部材４０に付着した塵埃によって分解作用が阻害されることがなくなり、十分な脱臭効果を長期間に亘って保持することができる。
【００６０】
また、光触媒部材４０が容易に洗浄できるので、光触媒フィルタ４２ａを集塵室２１内に露出させていても、脱臭効果の低下を防止することができる。そして、この光触媒フィルタ４２ａが露出していることで、高い脱臭効果を得ることができる。
【００６１】
一方、光触媒部材４０を通過して脱臭される空気に乗って流れた塵埃が、窓カバー３３に付着した場合であっても、この窓カバー３３は蓋体３０に着脱自在に設けられているので、外して容易に洗浄することができる。
【００６２】
そのため、透光性部材である窓カバー３３に塵埃が付着して、光の透過性が低下することを防止できる。そして、長期間に亘って十分な脱臭効果を保持することができる。
【００６３】
なお、この窓カバー３３を外すには、指掛け部３３ａに指先を引っ掛けて、上方に向かって窓カバー３３を持ち上げる。
【００６４】
また、光触媒部材４０は、集塵室２１に臨む部分に形成された窓３１にほぼ沿って設けられているので、掃除機本体１１の内部空間に生じた臭気成分等を効果的に分解、脱臭することができる。
【００６５】
以上、この発明にかかる実施の形態の一つを図面により詳述してきたが、具体的な構成は上述の実施の形態に限らない。この発明の要旨を逸脱しない範囲の設計の変更等はこの発明に含まれる。
【００６６】
例えば、図５に示すようなものであってもよい。
【００６７】
この場合、窓カバー５０の透光性部材である透光部５１の外方に面した一面５１ａが凹レンズ形状を呈している。
【００６８】
これにより、窓カバー５０の透光部５１を介して窓３１に入射した光は、凹レンズ形状の透光部５１によって屈折し、散乱されることとなる。そのため、透光部５１の面積が小さくとも、広範囲に亘って光を照射することが可能となる。そして、この透光部５１の面積よりも広い範囲の光触媒部材４０に十分な光を当てて、高い脱臭効果を得ることができる。
【００６９】
さらに、透光性部材の面積を小さくすることができるので、外観品質の向上を図ることもできる。
【００７０】
また、図６に示すようなものであってもよい。
【００７１】
この場合、窓カバー５２は集塵室２１に面した一面５２ａが凸レンズ形状を呈している。
【００７２】
これにより、透光性部材である窓カバー５２を介して窓３１に入射した光は、凸レンズ形状の窓カバー５２によって屈折し、集光されることとなる。そして、光が集光されることにより、紫外線の作用を強めることができて光触媒部材４０の酸化還元作用をさらに励起することができる。
【００７３】
このため、光触媒部材４０の範囲が狭くても、高い脱臭効果を得ることができる。
【００７４】
また、このように窓カバー５２の集塵室２１に面した一面５２ａを凸レンズ形状にした場合では、窓カバー５２の外方に面した一面５２ｂは比較的自由な形状にすることができる。そのため、窓カバー５２の設計の自由度が阻害されず、外観品質の向上を図ることができる。
【００７５】
さらに、図７に示すようなものであってもよい。
【００７６】
この場合、窓カバー６０の窓３１に対向した部分に、透光性部材により形成された透光部６１が着脱自在に設けられている。
【００７７】
このため、窓カバー６０の全体が蓋体３０から外れるのではなく、比較的小さな透光部６１だけが外れることとなる。これにより、この透光部６１を容易に洗浄することができる。
【００７８】
また、この透光部６１を外すには、透光部６１の上面に設けられたツマミ部６２を掴んで上方に持ち上げる。したがって、容易に外すことができて手間が掛からない。
【００７９】
また、上述の実施の形態では、内部空間が集塵室２１となっているが、窓３１が設けられる内部空間は集塵室２１に限られず、電動機室（図示せず）や風路等であってもよい。
【００８０】
【発明の実施の形態２】
以下、図面に基づいて発明の実施の形態２を説明する。なお、上述の実施の形態１と同等部位については同じ符号を用い、詳細な説明は省略する。
【００８１】
図８において、１００は電気掃除機の掃除機本体であり、１０１は掃除機本体１００の内部空間としての本体ケース、１０２は本体ケース１０１の前側に配設された内部空間としての集塵容器（集塵部）、１０３は集塵容器１０２の上方に配設されたカップ押さえ蓋である。
【００８２】
また、１０４は本体ケース１０１の後部の送風機室１０１ａ内に配設された電動送風機である。この電動送風機１０４は、集塵容器１０２に連通する吸気口１０４ａを有しており、この吸気口１０４ａから集塵容器１０２内の空気を吸い込んで吸込負圧を作用させる。
【００８３】
本体ケース１０１は、後部に送風機室１０１ａを有するセンターケース１０５と、送風機室１０１ａの下端部から前側に突出するカップ載置部１０６とを有している。
【００８４】
そして、センターケース１０５の前面は前方に向かって開口し、この開口の内側には格子状壁１０７が設けられている。この格子状壁１０７は上部が送風機室１０１ａ内に向かって湾曲するように延在されており、送風機室１０１ａの上側に凹所１０８を形成している（図９参照）。
【００８５】
この凹所１０８の底面１０８ａは格子状壁１０７によって構成されているので図９に示すように多数の開口が設けられ、送風機室１０１ａと凹所１０８とが連通している。
【００８６】
また、凹所１０８の上面１０８ｂには光を透過させる窓１０９が形成されている。この窓１０９はセンターケース１０５の上面に形成された開口であり、外部から入射する光を透過することができる透明又は半透明の透光性部材により構成された窓カバー１１０が設けられている。
【００８７】
そして、凹所１０８内には光触媒部材１３０が着脱自在に配設されている。また、この光触媒部材１３０は窓カバー１１０の下方に位置することとなる。
【００８８】
光触媒部材１３０は、図９に示すように、ハニカム構造に形成された光触媒フィルタ１３１により構成され、側面につまみ１３２が形成されている。
【００８９】
さらに、格子状壁１０７の前側には、格子状に形成されたフィルタ押さえ１１１が着脱自在に嵌着されている。なお、１１１ａは、フィルタ押さえ１１１の格子間に形成される複数の開口（連通口）であり、フィルタ膜が設けられている。
【００９０】
そして、格子状壁１０７とフィルタ押さえ１１１との間にはフィルタＦが介装され、このフィルタＦとフィルタ押さえ１１１とを取り付けることにより、光触媒部材１３０は凹所１０８内に収納される（図１０参照）。
【００９１】
集塵容器１０２は、後端に排気開口１１２が形成され、前部に吸込開口１１３が形成され、下端に塵埃開口１１４が形成された中空のカップ本体１１５を有している。
【００９２】
そして、カップ本体１１５の排出開口１１２には、後述する２次フィルタとしてのプリーツフィルタ１４０が嵌着されている。
【００９３】
また、カップ本体１１５の内部は、仕切壁１１６により上部及び後部側に位置する一連の負圧室１１７と、下部側に位置する集塵室（粗塵室）１１８とに区画されている。
【００９４】
仕切壁１１６は、カップ本体１１５内の上下方向中間部に一体に設けられた天井壁（上壁）１１６ａと、天井壁１１６ａから下方に延在された後壁１１６ｂとを有している。
【００９５】
そして、天井壁１１６ａには負圧室１１７の上部と集塵室１１８とを連通させる上連通口（上排気風路）１１６ｃが上連通路として設けられ、後壁１１６ｂには負圧室１１７の後部と集塵室１１８とを連通させる後連通口（後排気風路）１１６ｄが後連通路として設けられている。そして、上連通口１１６ｃは粗塵フィルタとしてのネットフィルタ（一次フィルタ）１１９ａで閉成され、後連通口１１６ｄは粗塵フィルタとしてのネットフィルタ（一次フィルタ）１１９ｂで閉成されている。
【００９６】
また、集塵室１１８の下端に設けられた塵埃開口１１４は底蓋１２０で閉成されている。この底蓋１２０は、後端部がヒンジＪで排出開口１１２の下部に回動可能に取り付けられている。
【００９７】
また、負圧室１１７内には風路形成パイプ１２１が配設されている。この風路形成パイプ１２１は、前後に延びる前パイプ部１２１ａと、前パイプ部１２１ａの後端から側方且つ斜め下方に延びる横パイプ部１２１ｂとからＬ字状に形成されている。
【００９８】
そして、前パイプ部１２１ａは、前方から後方に向かうに従って徐々に縮径するテーパ状に形成されている。この前パイプ部１２１ａには直進慣性による塵埃分離部１２２が設けられている。
【００９９】
この塵埃分離部１２２は、この前パイプ部１２１ａに設けられた複数の連通口１２２ａと、複数の連通口１２２ａを閉成する筒状フィルタ（粗塵フィルタである一次フィルタ）１２２ｂとを有している。この複数の連通口１２２ａは、前後に延び且つ周方向に間隔をおいて配列されている。また、筒状フィルタ１２２ｂには、前パイプ部１２１ａの内周面に固着された筒状のネットフィルタが用いられている。
【０１００】
そして、筒状フィルタ１２２ｂの内側には、吸込開口１１３から連続する筒状風路１２３が形成されている。
【０１０１】
カップ押さえ蓋１０３は、後端部がヒンジ１２４を介して上下回動可能に本体ケース１０１のセンターケース１０５の上面に取り付けられている。ここで、ヒンジ１２４はセンターケース１０５の上面に形成された窓１０９よりも後方に設けられており、カップ押さえ蓋１０３を水平状態に倒したときに、カップ押さえ蓋１０３によって窓１０９が覆われることとなる。
【０１０２】
そして、このカップ押さえ蓋１０３には、窓１０９に対向する部分に蓋窓１２５が開口されている。さらに、この蓋窓１２５には外部から入射する光を透過することができる透明又は半透明の透光性部材により構成された窓カバー１２６が設けられている。
【０１０３】
さらに、集塵容器１０２の排出開口１１２に嵌着されたプリーツフィルタ１４０は、粗塵捕捉用のネットフィルタ（一次フィルタ）１１９ａ、１１９ｂ及び筒状フィルタ（一次フィルタ）１２２ｂによって捕捉することができなかった細塵を捕集する二次フィルタ（細塵フィルタ）である。
【０１０４】
プリーツフィルタ１４０は、集塵容器１０２の後端に形成された排出開口１１２に嵌着されることにより、集塵容器１０２と電動送風機１０４の吸気口１０４ａとの間に配設されることとなる。
【０１０５】
なお、プリーツフィルタ１４０は、細塵フィルタとしては、細塵を捕捉できればプリーツフィルタ１４０以外のフィルタ、例えば非常に目の細かいマット状のフィルタや、多層フィルタ等であっても良い。
【０１０６】
ここでは、プリーツフィルタ１４０は、枠体の内側に多数の山部と谷部とを有するジャバラ状に形成されたフィルタ膜を設けて形成されている。
【０１０７】
次に、この電気掃除機の作用について説明する。
【０１０８】
この電気掃除機を使用するには、まず、凹所１０８に光触媒部材１３０を配置する。このとき、凹所１０８内に形成された一対の縦壁１０８ｃ、１０８ｃ間に挿入することで容易に位置決めをすることができる。
【０１０９】
次に、フィルタＦを格子状壁１０７に沿わせた状態でフィルタ押さえ１１１をセンターケース１０５の前面開口に嵌着する。これにより、光触媒部材１３０が凹所１０８内に収納された状態で保持される。
【０１１０】
そして、集塵容器１０２の排出開口１１２にプリーツフィルタ１４０を装着した後に、さらにこの集塵容器１０２を本体ケース１０１のカップ載置部１０６に装着する。集塵容器１０２を装着したら、カップ押さえ蓋１０３を水平状態に回動させて、図示しないロック手段により固定する。
【０１１１】
これにより、集塵容器１０２の吸込開口１１３から集塵容器１０２内を通って、送風機室１０１ａ内に設けられた電動送風機１０４の吸気口１０４ａまでの間に風路が形成される。この風路は掃除機本体１００の内部空間である。
【０１１２】
そして、操作パネル１３のスイッチＳ２又はスイッチＳ３をＯＮ操作する。これにより、電動送風機１０４が駆動され、集塵容器１０２内の空気を吸気口１０４ａから吸い込むことで負圧を発生させ、この負圧が本体ケース１０１の格子状壁１０７、フィルタＦ、格子状のフィルタ押さえ１１１、プリーツフィルタ１４０等を介して負圧室１１７に作用する。また、凹所１０８の底面１０８ａには多数の開口が設けられて送風機室１０１ａと連通しているので、この凹所１０８内にも負圧が作用する。
【０１１３】
そして、この負圧によって図示しない吸込口体、集塵ホース等を介して空気（エア）と共に塵埃が吸引され、この空気及び塵埃は上述の風路内に吸い込まれていく。
【０１１４】
このとき、空気と共に吸い込まれた塵埃のうち所定以上の質量のある塵埃は、前後方向に略直線状に延びる前パイプ部１２１ａに設けられた塵埃分離部１２２内に吸引されると、塵埃分離部１２２に流入する際の慣性力により直進した後、横パイプ部１２１ｂを介して集塵室１１８の側方へ導入される。この際、空気の一部も風路形成パイプ１２１を介して集塵室１１８内に吸引される。
【０１１５】
また、前パイプ部１２１ａに設けられた塵埃分離部１２２に吸引された空気の大半は、複数の連通口１２２ａから筒状フィルタ１２２ｂを介して負圧室１１７内に吸引される。この際、前パイプ部１２１ａに吸い込まれた塵埃のうち比較的軽い綿埃等は筒状フィルタ１２２ｂに捕捉される。しかし、細塵は筒状フィルタ１２２ｂを透過して空気と共に負圧室１１７内に流入する。
【０１１６】
このようにして、塵埃分離部１２２に吸い込まれる塵埃のうち所定以上の質量のある塵埃は直進慣性力により空気の一部から慣性分離される。
【０１１７】
さらに、集塵室１１８内に空気と共に吸引された塵埃は空気から分離されて集塵室１１８内に底部側から堆積させられる。そして、この塵埃が分離された空気は、ネットフィルタ１１９ａ及び上連通口１１６ｃを介して負圧室１１７の上部に吸引される一方、ネットフィルタ１１９ｂ及び後連通口１１６ｄを介して負圧室１１７の後方側下部内に吸引される。この際、塵埃の一部はネットフィルタ１１９ａ、１１９ｂに捕捉されるが、細塵は空気と共に負圧室１１７内に流入する。
【０１１８】
このようにして負圧室１１７に吸い込まれた空気は、電動送風機１０４から作用する負圧によりプリーツフィルタ１４０を透過する。この際、空気に含まれる細塵は、プリーツフィルタ１４０に捕捉され、十分に空気中からろ過される。
【０１１９】
そして、プリーツフィルタ１４０を透過した空気は、格子状のフィルタ押さえ１１１、フィルタＦ、格子状壁１０７を介して電動送風機１０４の吸気口１０４ａに吸い込まれた後、大気に排出される。
【０１２０】
ここで、プリーツフィルタ１４０を透過した空気は、凹所１０８内にも流れ込む。この空気には細塵は含まれていないが、塵埃が空気と共に流れこんだ細菌等により発散させられる臭気成分が含まれている。
【０１２１】
この臭気成分は凹所１０８内に配置された光触媒部材１３０によって分解され、脱臭される。また、細菌自体も光触媒部材１３０によって殺菌、分解される。
【０１２２】
ここで、この光触媒部材１３０は、凹所１０８の上面１０８ｂに形成された窓１０９に対向して配置され、この窓１０９にはカップ押さえ蓋１０３に開口した蓋窓１２５が対向している。
【０１２３】
そのため、光触媒部材１３０は、この蓋窓１２５および窓１０９から入射する光（紫外線）を十分に当てることができ、高い脱臭効果を得ることができる。
【０１２４】
一方、この光触媒部材１３０は、細塵を十分にろ過することができる２次フィルタであるプリーツフィルタ１４０と電動送風機１０４の吸気口１０４ａとの間の風路に位置しているので、空気と共に吸い込まれた塵埃が付着することがなくなり、清潔な状態を長期間保持することができる。
【０１２５】
そして、光触媒部材１３０の表面に塵埃が付着して光に十分に当たることができなくなることが防止され、高い脱臭効果を保持することが可能となる。
【０１２６】
さらに、この光触媒部材１３０は、掃除機本体１００の本体ケース１０１の上面に配置されているので、光により多く当たることが可能となり、より高い脱臭効果を得ることができる。
【０１２７】
【発明の効果】
この発明によれば、光触媒部材に付着した塵埃を容易に除去することができ、十分な脱臭効果を長期間保持することができる電気掃除機を提供することができる。
【図面の簡単な説明】
【図１】この発明に係る電気掃除機の実施例１の全体を示す斜視図である。
【図２】（ａ）この発明に係る電気掃除機の掃除機本体の一部を破断した斜視図である。
（ｂ）光触媒フィルタの一部を拡大した斜視図である。
【図３】この発明に係る電気掃除機の蓋体を示す断面図である。
【図４】（ａ）図３におけるＡ部の拡大図である。
（ｂ）図３におけるＢ部の拡大図である。
【図５】この実施例１に係る電気掃除機の蓋体の第１変形例を示す断面図である。
【図６】この実施例１に係る電気掃除機の蓋体の第２変形例を示す断面図である。
【図７】この実施例１に係る電気掃除機の蓋体の第３変形例を示す断面図である。
【図８】この発明に係る電気掃除機の実施例２の掃除機本体を示す斜視図である。
【図９】図８における掃除機本体のカップ押さえ蓋をあけたときの斜視図である。
【図１０】図９における状態で光触媒及びフィルタ押さえを装着したときの斜視図である。
【図１１】従来の電気掃除機の掃除機本体を示す断面図である。
【図１２】（ａ）従来の電気掃除機の延長管を示す斜視図である。
（ｂ）図１２（ａ）におけるＤ−Ｄ断面図である。
【符号の説明】
１０      電気掃除機
１１      掃除機本体
２１      集塵室
２２      電動送風機
３１      窓
３３      透光性部材（窓カバー）
４０      光触媒部材
【図１】
2004230134.tif 000003
【図２】
2004230134.tif 000004
【図３】
2004230134.tif 000005
【図４】
2004230134.tif 000006
【図５】
2004230134.tif 000007
【図６】
2004230134.tif 000008
【図７】
2004230134.tif 000009
【図８】
2004230134.tif 000010
【図９】
2004230134.tif 000011
【図１０】
2004230134.tif 000012
【図１１】
2004230134.tif 000013
【図１２】
2004230134.tif 000014